(57)【特許請求の範囲】
【請求項１】
測位用の衛星信号を送信する測位用衛星を用いて、現在の位置情報を発信することにより、現在位置の特定を可能にする位置追跡機能付きカードであって、
少なくとも表面の一部が透明性を有する基体と、
前記基体中に設けられ、前記衛星信号を受信する受信用アンテナと、
前記基体中に設けられ、前記位置情報及びユーザー情報と、位置追跡機能付きカードを駆動させる電源の復旧により再稼働した場合に、当該再稼働に関する復旧情報を発信する発信手段と、
前記発信手段により、前記位置情報、ユーザー情報及び復旧情報を発信するための発信用アンテナとを備える位置追跡機能付きカード。
【請求項２】
前記基体中において透明性を有する領域に設けられ、かつ、前記発信手段を駆動させる発電用ソーラーパネルと、
前記発電用ソーラーパネルにより生成された電気エネルギーを蓄積する蓄電手段とを備える請求項１に記載の位置追跡機能付きカード。
【請求項３】
測位用の衛星信号を送信する測位用衛星を用いて、現在の位置情報を発信することにより、現在位置の特定を可能にする位置追跡機能付きカードを用いた位置追跡システムであって、
前記衛星信号の受信と、前記位置情報及びユーザー情報の送信を行う位置追跡機能付きカードと、
前記位置追跡機能付きカードが発信する前記位置情報及びユーザー情報を受信する基地局と、
前記基地局とネットワークを介して接続され、当該基地局から送信される前記位置情報をユーザー情報と関連付けて保存するサーバと、
前記サーバから送信される前記位置情報及びユーザー情報を受信し、前記位置追跡機能付きカードの現在位置を追跡可能にする携帯端末とを備え、
前記位置追跡機能付きカードは、当該位置追跡機能付きカードを駆動させる電源の復旧により再稼働した場合に、当該再稼働に関する復旧情報を発信し、
前記サーバは、前記基地局及びネットワークを介して前記復旧情報を受信した場合に、前記携帯端末に当該復旧情報を送信し、当該携帯端末による前記位置追跡機能付きカードの現在位置の特定を可能にする位置追跡システム。
【請求項４】
前記位置追跡機能付きカードは、前記復旧情報を、前記位置情報及びユーザー情報と同時に、又は任意の順序で順次発信する請求項３に記載の位置追跡システム。
【請求項５】
前記位置追跡機能付きカードは、当該位置追跡機能付きカードを駆動させるための発電用ソーラーパネルと、
前記発電用ソーラーパネルにより生成された電気エネルギーを蓄積する蓄電手段とを備える請求項３又は４に記載の位置追跡システム。
【発明の詳細な説明】
【技術分野】
【０００１】
本発明は、位置追跡機能付きカード及びそれを備えた位置追跡システムに関し、より詳細には、電源の復旧により再稼働した場合にユーザーに再稼働を通知し、位置追跡の再開を可能にする位置追跡機能付きカード及びそれを備えた位置追跡システムに関する。
【背景技術】
【０００２】
従来、特定の信号を発信させる発信器を内蔵したクレジットカードやキャッシュカードにおいては、当該発信器を駆動させるためにバッテリを必要としている。このようなクレジットカード等としては、例えば、下記特許文献１に、バッテリを電源として独自のコードを発信する発振器を備えたものが開示されている。
【０００３】
前記文献に記載の発明では、発振器から発信されたコード信号が基地局に受信され、さらに、基地局は総合基地局にその信号を送出し、総合基地局では、複数の基地局からの信号を元に位置を算出することができるとされている。また、この発明においては、電池を小型化でき、発振器からのコード信号の送信距離も移動電話通信網の基地局に届くだけの電力でよいので、バッテリの小型化が可能とされている。
【０００４】
しかしながら、従来の発信器は、バッテリを電力源としているため、長期にわたって信号を発信することが困難である。また、発信器のバッテリが消費され、当該発信器がコード信号を発信しなくなると、多くの場合、ユーザーは発信器の追跡を中止するため、たとえ電力源が復旧し発信器が再稼働しても、ユーザーは当該再稼働を関知することが困難になるという問題がある。
【先行技術文献】
【特許文献】
【０００５】
【特許文献１】特開２０００−２４９７５２号公報
【発明の概要】
【発明が解決しようとする課題】
【０００６】
本発明は前記問題点に鑑みなされたものであり、その目的は、電源の復旧により再稼働した場合にも、位置追跡の再開を可能にする位置追跡機能付きカード及びそれを備えた位置追跡システムを提供することにある。
【課題を解決するための手段】
【０００７】
本発明の位置追跡機能付きカードは、前記の課題を解決する為に、測位用の衛星信号を送信する測位用衛星を用いて、現在の位置情報を発信することにより、現在位置の特定を可能にする位置追跡機能付きカードであって、少なくとも表面の一部が透明性を有する基体と、前記基体中に設けられ、前記衛星信号を受信する受信用アンテナと、前記基体中に設けられ、前記位置情報及びユーザー情報と、電源の復旧により再稼働した場合の復旧情報を発信する発信手段と、前記発信手段により、前記位置情報、ユーザー情報及び復旧情報を発信するための発信用アンテナとを備えることを特徴とする。
【０００８】
前記の構成に於いて、前記基体中において透明性を有する領域に設けられ、かつ、前記発信手段を駆動させる発電用ソーラーパネルと、前記発電用ソーラーパネルにより生成された電気エネルギーを蓄積する蓄電手段とを備えることが好ましい。
【０００９】
また、本発明の位置追跡システムは、前記の課題を解決する為に、測位用の衛星信号を送信する測位用衛星を用いて、現在の位置情報を発信することにより、現在位置の特定を可能にする位置追跡機能付きカードを用いた位置追跡システムであって、前記衛星信号の受信と、前記位置情報及びユーザー情報の送信を行う位置追跡機能付きカードと、前記位置追跡機能付きカードが発信する前記位置情報及びユーザー情報を受信する基地局と、前記基地局とネットワークを介して接続され、当該基地局から送信される前記位置情報をユーザー情報と関連付けて保存するサーバと、前記サーバから送信される前記位置情報及びユーザー情報を受信し、前記位置追跡機能付きカードの現在位置を追跡可能にする携帯端末とを備え、前記位置追跡機能付きカードは、当該位置追跡機能付きカードを駆動させる電源の復旧により再稼働した場合に、当該再稼働に関する復旧情報を発信し、前記サーバは、前記基地局及びネットワークを介して前記復旧情報を受信した場合に、前記携帯端末に当該復旧情報を送信し、当該携帯端末による前記位置追跡機能付きカードの現在位置の特定を可能にすることを特徴とする。
【００１０】
前記の構成に於いて、前記位置追跡機能付きカードは、前記復旧情報を、前記位置情報及びユーザー情報と同時に、又は任意の順序で順次発信することが好ましい。
【００１１】
前記の構成に於いて、前記位置追跡機能付きカードは、当該位置追跡機能付きカードを駆動させるための発電用ソーラーパネルと、前記発電用ソーラーパネルにより生成された電気エネルギーを蓄積する蓄電手段とを備えることが好ましい。
【発明の効果】
【００１２】
本発明の位置追跡機能付きカードによれば、位置追跡を可能にするために、位置情報及びユーザー情報を発信する発信手段を備えている。この発信手段は、さらに、位置追跡機能付きカードが電源の復旧により再稼働した場合に、当該復旧を通知するための復旧情報も発信する。そのため、本発明の位置追跡機能付きカードにおいては、電源の喪失により稼働しなくなり、その結果、ユーザーが当該位置追跡機能付きカードの位置追跡を行わなくなった場合でも、ユーザーに対し電源の復旧によるカードの再稼働を通知するので、ユーザーによる位置追跡の再開を促すことができる。
【００１３】
また、本発明の位置追跡システムは、測位用の衛星信号を送信する測位用衛星と、当該衛星信号を受信する前記位置追跡機能付きカードと、当該位置追跡機能付きカードが発信する位置情報及びユーザー情報を受信する基地局とを備える。さらに、前記基地局は、位置情報及びユーザー情報を携帯端末に送信し、これにより、携帯端末のユーザーは、前記位置追跡機能付きカードの現在位置を追跡可能にしている。
【００１４】
そして、前記位置追跡機能付きカードは、前述の通り、一旦電源が喪失した後に復旧し再稼働した場合には、当該再稼働を携帯端末に通知するために、復旧情報を発信する。その結果、ユーザーが、位置追跡機能付きカードの電源喪失により位置追跡を行わなくなった場合でも、ユーザーによる位置追跡の再開を促すことができ、利便性の向上が図れる。
【図面の簡単な説明】
【００１５】
【図１】本実施の形態の位置追跡システムの構成図を示す概念図である。
【図２】前記位置追跡システムに用いる位置追跡機能付きカードを説明するための分解斜視図である。
【図３】前記位置追跡機能付きカードの一構成例を示すブロック図である。
【図４】前記位置追跡システムにおけるサーバの一構成例を示すブロック図である。
【発明を実施するための形態】
【００１６】
本実施の形態の位置追跡機能付きカード及び位置追跡システムを、図１〜図４に基づき以下に説明する。図１は、本実施の形態の位置追跡システムの構成図を示す概念図である。図２は、前記位置追跡システムに用いる位置追跡機能付きカードを説明するための分解斜視図である。図３は、前記位置追跡機能付きカードの一構成例を示すブロック図である。図４は、位置追跡システムにおけるサーバの一構成例を示すブロック図である。
【００１７】
本実施の形態の位置追跡システム１は、位置追跡機能付きカード（以下、「カード」という。）１０、測位用衛星２０、基地局３０、携帯端末４０、サーバ５０及びネットワーク６０を備える。位置追跡システム１は、ユーザーが、携帯端末４０を用いてサーバ５０に問い合わせることにより、カード１０の位置を遠隔から追跡可能にするサービスを提供するものである。
【００１８】
カード１０は、図２に示すように、少なくとも表面の一部が透明性有する基体２からなる。また、基体２は、基材２ａと、当該基材２ａの表面を被覆する表面側外装材２ｂと、基材２ａの裏面を被覆する裏面側外装材２ｃとからなる基体２を備える。
【００１９】
基材２ａの形状としては特に限定されず、例えば、フィルム状、シート状、基板状等を採用することができる。基材２ａの材料としては特に限定されないが、耐久性や利便性等の観点から、フレキシブル性を有する樹脂材料を用いることが好ましい。このような樹脂材料としては、例えば、ポリ塩化ビニル、アクリルニトリル−ブタジエン−スチレン共重合樹脂（ＡＢＳ）、ポリプロピレン、トリアセテート、ＰＥＮ（ポリエチレンナフタレート）、ＰＥＴ（ポリエチレンテレフタレート）、ポリイミド（ＰＩ）、ポリエステル等が挙げられる。これらの樹脂材料は、カード１０に要求される特性に応じて、適宜任意に選択することが可能である。
【００２０】
基材２ａの厚さは特に限定されないが、通常は０．２０〜０．３０ｍｍ程度となる。但し、基材２ａには、薄膜電池３及び発電用ソーラーパネル５を実装するので、それらの厚みに相当するものを使用するのが好ましい。
【００２１】
表面側外装材２ｂ及び裏面側外装材２ｃは、基体２の表面および裏面を構成するものであり、例えば、ＰＥＴ（ポリエチレンテレフタレート）、ＰＢＴ（ポリブチルテレフタレート）、ＰＥＧ（ポリエチレングリコール、配向ＰＥＴ等の高分子材料を主成分とするものを用いることができる。但し、本発明は、これらの高分子材料に限定されるものではなく、カード１０に要求される特性に応じて、従来公知の高分子材料から適宜任意に選択することが可能である。また、表面側外装材２ｂ及び裏面側外装材２ｃは、基材２ａに密着して設けられているので、防水性に優れる。
【００２２】
表面側外装材２ｂは透明性を有している。これにより、発電用ソーラーパネル５は太陽光等による受光が可能となっている。その一方、裏面側外装材２ｃは透明性を有していないが、本発明は、これらの態様に限定されるものではない。すなわち、表面側外装材２ｂの一部だけが透明性を有している構成でよく、また、裏面側外装材２ｃにおいても、少なくともその一部が透明性を有している構成としてもよい。尚、透明性とは可視光領域（３６０ｎｍ〜７５０ｎｍ）の光が透過することを意味する。
【００２３】
表面側外装材２ｂ及び裏面側外装材２ｃの厚みは特に限定されず、適宜設定することができる。カード１０の全体厚みをＩＳＯ規定の範囲内にするために、表面側外装材２ｂ及び裏面側外装材２ｃの厚みを適宜設定して調整してもよい。
【００２４】
基材２ａは、図３に示すように、蓄電手段としての薄膜電池３、制御部４、発電用ソーラーパネル５、表示部６、ＧＰＳ(Global Positioning System)受信用アンテナ７及び発信用アンテナ８を備える。
【００２５】
薄膜電池３は、発電用ソーラーパネル５に接続されており、当該発電用ソーラーパネル５によって発電した電力を蓄積と可能となっている。また、薄膜電池３は、制御部４および表示部６に電力を供給する。薄膜電池３としては、特に限定されず、従来公知のものを用いることができる。例えば、繰り返し充放電可能なＩＳＯ規格を満たす薄膜二次電池等が挙げられ、より具体的には、正極活物質としてアモルファスＶ２Ｏ５ゲル薄膜を用い、電解質として高イオン導電性のポリホスファゼンを用いた超薄型の２次電池（厚み０．１ｍｍ）や、可撓性のある超薄型リチウム２次電池（厚み０．２ｍｍ）等が使用可能である。
【００２６】
制御部４は、インタフェース１１と、ＲＡＭ（Random Access Memory）１２と、ＲＯＭ（Read Only Memory）１３と、ＣＰＵ（Central Processing Unit）１４とを少なくとも備える。インタフェース１１、ＲＡＭ１２、ＲＯＭ１３及びＣＰＵ１４はバス１５に対して接続されている。制御部４はカード１０の現在位置に関する位置情報及びユーザー情報を、発信用アンテナ８を用いて発信させる機能を有しており、発信手段として働く。また、制御部４は、電源が喪失した後に、その復旧により再稼働した場合には、当該再稼働を携帯端末に通知するための復旧情報を発信する。尚、電源の復旧方法としては、例えば、発電用ソーラーパネル５による発電等が考えられる。また、インタフェース１１は、バス１５を介して薄膜電池３および表示部６とも接続している。
【００２７】
ＲＡＭ１２は、ＣＰＵ１４のワークメモリとして用いられる。ＲＯＭ１３は、ＣＰＵ１４を動作させるためのプログラムを記憶している。また、カード１０固有のユーザー情報も記憶している。ＲＯＭ１３にユーザー情報が記憶されていることにより、ユーザーが所有するカード１０であるか否かの区別を可能にする。
【００２８】
ＣＰＵ１４は、ＲＯＭ１３に予め記憶された動作プログラムに従い動作する。具体的には、測位用衛星２０や基地局３０との間の通信動作の制御を行う。また、ＧＰＳ受信用アンテナ７が受信した衛星信号に基づき現在位置の算出のための演算を行う。さらに、表示部６に薄膜電池３の電池残量等の情報を表示させるための制御を行う。また、インタフェース１１を介して、発電用ソーラーパネル５で発電された電力による充電や放電を制御する。さらに、電源が復旧した場合に、復旧情報を発信用アンテナ８から発信させるための制御も行う。
【００２９】
発電用ソーラーパネル５としては、特に限定されず、例えば、１．５ｖ〜５ｖ、３μＡ程度の起電力を有する市販のもの等を用いることができる。発電用ソーラーパネル５は、主として制御部４や表示部６の駆動に利用される。
【００３０】
また、発電用ソーラーパネル５は基体２の表面及び／又は裏面の全面に設けてもよく、あるいは所定の領域に設けてもよい。但し、太陽光等の受光を可能にするため、表面側外装材２ｂ又は裏面側外装材２ｃは、少なくとも発電用ソーラーパネル５が設けられる領域において透明性を有していることが必要である。
【００３１】
表示部６としては可撓性を有するものが好ましく、例えば、液晶ディスプレイ、有機エレクトロルミネッセンスディスプレイ（Organic Electro Luminescence：ＯＥＬ）などを用いることができる。表示部６は、発電用ソーラーパネル５又は薄膜電池３から供給される電力により駆動され、制御部４に記憶された情報に基づき薄膜電池３の電池残量などを表示することができる。表示方法としては特に限定されず、例えば、マトリックスやセグメントにより文字等の表示を行うことができる。
【００３２】
尚、カード１０においては、発電用ソーラーパネル５に替えて、又は併用して、薄膜電池３に外部からの充電が可能な様に構成してもよい。例えば、ＵＳＢコネクタやＡＣアダプター等の充電用の接続端子をカード１０に設けて、外部充電が可能な様にしてもよい。また、電磁波を利用して非接触で充電可能な様に構成してもよい。
【００３３】
ＧＰＳ受信用アンテナ７は、測位用衛星２０から発信される前記衛星信号を受信する機能を有している。ＧＰＳ受信用アンテナ７としては特に限定されず、例えば、フィルムアンテナ等を用いることができる。また、発信用アンテナ８は、位置情報、ユーザー情報及び復旧情報を信号として発信する機能を有している。発信用アンテナ８としては特に限定されず、例えば、コイルアンテナ等が用いることができる。
【００３４】
測位用衛星２０としては、具体的には、例えば、地球周回軌道上にある測位用衛星、すなわちＧＰＳ衛星が挙げられる。
【００３５】
基地局３０は、カード１０、サーバ５０間の通信を中継するための通信設備である。具体的には、例えば、ネットワーク６０に接続された自動販売機、電柱、公衆電話、街灯、信号機などに設置された通信設備などが挙げられる。
【００３６】
基地局３０は、情報受信部と、通信中継部とを有する（何れも図示しない）。情報受信部は、カード１０から、当該カード１０の位置情報、ユーザー情報及び復旧情報を受信する。通信中継部は、受信した位置情報等をネットワーク６０を介してサーバ５０に送信することにより、カード１０、サーバ５０間の通信を中継する。この様にして、カード１０から送信された位置情報等は、基地局３０を介してサーバ５０に送信される。
【００３７】
携帯端末４０は、ユーザーが基地局３０に対して位置情報及びユーザー情報の提供を求める際に用いる端末である。携帯端末４０は、例えば、サーバ５０からカード１０の位置情報及びユーザー情報を取得する手段を備える。また、携帯端末４０は、カード１０から送信される前記復旧情報を、サーバ５０から受信する手段も備える。そのような携帯端末４０としては特に限定されず、例えば、スマートフォンや、ＰＤＡ（Personal Digital Assistant）、携帯電話機、携帯パーソナルコンピュータ、タブレット等が挙げられる。
【００３８】
また、本実施の形態に於いては、薄膜電池において蓄電されている電気エネルギーの残量を検出するための電源電圧監視回路（検出手段、図示しない）を備えていてもよい。電源電圧監視回路は制御部４に設けることができ、薄膜電池から電力供給を受けて駆動する。そして、電力残量として薄膜電池３の電圧を検出し、電力残量として薄膜電池３の電圧が所定値を下回った場合には、表示部６において電池残量を表示させるようにすることができる。
【００３９】
サーバ５０は、カード１０の現在位置を一元管理するものであり、位置情報等受信部５１と、位置情報等を保存するためのデータベース部５２とを備える。位置情報等受信部５１は、カード１０から送信された位置情報やユーザー情報、復旧情報等を、基地局３０及びネットワーク６０を介して受信する。受信した位置情報やユーザー情報、復旧情報は、データベース部５２に保存される。尚、サーバ５０は、本実施の形態の位置追跡システム１を用いたサービスを提供する事業者のデータセンターなどに設置することができる。
【００４０】
また、サーバ５０は、位置追跡要求受信部５３、検索部５４、復旧情報受信部５５及び送信部５６をさらに備える。位置追跡要求受信部５３は、ユーザーによる携帯端末４０からの位置追跡要求を受信するものである。検索部５４は、位置追跡要求で指定されたカード１０のユーザー情報をデータベース部５２から検索し、当該ユーザー情報に関連付けられて保存されている位置情報を抽出するものである。復旧情報受信部５５は、カード１０から基地局３０及びネットワーク６０を介して送信されてきた復旧情報を受信するものである。送信部５６は、検索結果の位置情報や復旧情報を携帯端末４０に送信するものである。これにより、カード１０が時間の経過と共に移動をしても、ユーザーは当該カード１０の位置を追跡することができる。また、カード１０の電源が復旧した場合に、当該カード１０の再稼働を携帯端末４０を有するユーザーに知らせることができる。
【００４１】
ネットワーク６０としては、インターネットや専用回線、ＷＡＮ（Ｗｉｄｅ  Ａｒｅａ  Ｎｅｔｗｏｒｋ）、電灯線ネットワーク、無線ネットワーク、公衆回線網などの種々のものを用いることができる。
【００４２】
次に、本実施の形態の位置追跡システム１の動作について説明する。
先ず、カード１０が、ＧＰＳ受信用アンテナ７により、測位用衛星２０からの衛星信号を受信すると、制御部４は当該衛星信号に基づく情報を元に現在位置を演算する。さらに、制御部４は、演算により得られた現在の位置情報、及びＲＯＭ１３に予め記憶されているユーザー情報を、発信用アンテナ８を用いて信号として発信する。
【００４３】
基地局３０は、カード１０の現在の位置情報及びユーザー情報を受信すると、これらの情報をネットワーク６０を介して、サーバ５０に送信する。サーバ５０では、位置情報等受信部５１が位置情報等を受信し、データベース部５２に記憶する。
【００４４】
サーバ５０の位置追跡要求受信部５３が、ネットワーク６０を介して、ユーザーの携帯端末４０から位置追跡を要求するための位置追跡要求を受信した場合、検索部５４は、当該位置追跡要求で指定されたカード１０の位置情報及びユーザー情報をデータベース部５２から検索する。このとき、記憶されているユーザー情報と、携帯端末４０から送信されたユーザー情報とを比較し、一致するか否かを確認する。ユーザー情報が一致する場合には、当該ユーザー情報に関連付けられて記憶されている位置情報が抽出される。該当する位置情報及びユーザー情報が抽出されると、送信部５６は当該位置情報等を送信する。ユーザーの携帯端末４０は、ネットワーク６０を介して、前記位置情報等を受信する。これにより、ユーザーはカード１０の現在位置を追跡することができる。尚、データベース部５２に記憶される位置情報は、ユーザー情報と関連付けて、任意に設定した時間間隔毎に記憶されるようにしてもよい。これにより、経時的にカード１０の位置を追跡することができる。
【００４５】
ここで、カード１０は、発電用ソーラーパネル５が発電を行うことができず、かつ、薄膜電池３の電池残量も喪失した場合には、現在の位置情報及びユーザー情報の発信が不可能となる。しかしながら、その後、再び、発電用ソーラーパネル５の発電等により電源の復旧が行われた場合には、カード１０の制御部４が再稼働を携帯端末に通知するための復旧情報の発信を行う。
【００４６】
この復旧情報が発信されると、当該復旧情報は、基地局３０及びネットワーク６０を中継して、サーバ５０に送信される。サーバ５０では、復旧情報受信部５５が復旧情報を受信する。復旧情報がサーバ５０で受信されると、当該復旧情報はデータベース部５２に記憶される。さらに、復旧情報受信部５５は復旧情報を送信部５６に送り、送信部５６はネットワーク６０を介して携帯端末４０に送信する。これにより、ユーザーは、携帯端末４０で自ら位置追跡要求を送信しなくても、カード１０の電源が復旧し、再稼働したことを知ることができる。そして、ユーザーがカード１０の位置追跡を再び行いたい場合は、携帯端末４０から位置追跡要求を送信すればよい。尚、再稼働後のカード１０による復旧情報の発信の際には、同時に、現在の位置情報及びユーザー情報を発信できるようにしてもよい。あるいは、任意の順序で順次発信するようにしてもよい。
【００４７】
以上の様に、本実施の形態によれば、カード１０が、その電源の喪失により稼働しなくなった場合でも、再び電源の復旧により再稼働したときには、当該カード１０の再稼働をユーザーに知らせることができる。その結果、ユーザーがカード１０の位置追跡を行わなくなっていても、位置追跡の再開を促すことができる。尚、本実施の形態のカード１０は、発電用ソーラーパネル５と当該発電用ソーラーパネル５により発電された電気エネルギーを蓄電する薄膜電池３とを備えるので、長期間にわたって、その現在位置を特定し追跡することができる。
【符号の説明】
【００４８】
１  位置追跡システム
２  基体
２ａ  基材
２ｂ  表面側外装材
２ｃ  裏面側外装材
３  薄膜電池
４  制御部
５  発電用ソーラーパネル
６  表示部
７  ＧＰＳ受信用アンテナ
８  発信用アンテナ
１０  位置追跡機能付きカード
１１  インタフェース
１２  ＲＡＭ
１３  ＲＯＭ
１４  ＣＰＵ
１５  バス
２０  測位用衛星
３０  基地局
４０  携帯端末
５０  サーバ
６０  ネットワーク
【要約】
【課題】電源の復旧により再稼働した場合にも、位置追跡の再開を可能にする位置追跡機能付きカード及びそれを備えた位置追跡システムを提供する。
【解決手段】本発明にかかるカード１０は、測位用の衛星信号を送信する測位用衛星を用いて、現在の位置情報を発信することにより、現在位置の特定を可能にするカード１０であって、少なくとも表面の一部が透明性を有する基体２と、基体２中に設けられ、前記衛星信号を受信する受信用アンテナと、基体２中に設けられ、前記位置情報及びユーザー情報と、電源の復旧により再稼働した場合の復旧情報を発信する制御部４等と、制御部４等により、位置情報、ユーザー情報及び復旧情報を発信するための発信用アンテナ８とを備える。
【選択図】  図１【図１】
0005828190.tif 000002
【図２】
0005828190.tif 000003
【図３】
0005828190.tif 000004
【図４】
0005828190.tif 000005